(57)【特許請求の範囲】
【請求項１】
左，右前身頃２および後身頃３を有する本体部５に左，右袖７を取り付けた外上衣１の本体部５内面に、内上衣２５の左，右前身頃２６および後身頃２７を有する本体部２８を着脱可能に保持させ、内上衣２５の本体部２８に取り付けた左，右袖２９を、外上衣１の左，右袖７内に着脱可能に嵌めた防火服の上衣において、
外上衣１と内上衣２５との左，右袖７，２９を、長い前袖部９，３１に上，下後袖部１０，１１，３２，３３を縫い付けてそれぞれ構成し、下後袖部１１，３３の前袖部９，３１に対する肘側縫い付け部の上下方向の適所にタック１１ａ，３１ａ形成して左，右袖７，２９に肘の前曲げ余裕部１２，３４を、外上衣１と内上衣２５の左，右袖７，２９にそれぞれ対応させて設けると共に、外上衣１と内上衣２５との本体部５，２８の上部にそれぞれ形成した左，右袖ぐり５ａ，２８ａの周縁部に、外上衣１と内上衣２５との左，右袖７，２９の基端部の周方向に沿う下部の半分以上に左，右襠部８，３０を介し後側に偏してそれぞれ縫い付け、前記外上衣１の左，右袖７の基端部の周方向に沿う残りの上部は袖ぐり５ａの周縁部を形成する前身頃２の上端部および肩布４の前下部に直接縫い付け、前記内上衣２５の左，右袖２９の基端部の周方向に沿う残りの上部は袖ぐり２８ａの周縁部を形成する前身頃２６の上端部に直接縫い付けて、肩部からの腕の前後および上曲げ余裕部１４，３５を外上衣１と内上衣２５とにそれぞれ対応させて設けたことを特徴とする防火服の上衣。
【請求項２】
内上衣１の左，右袖２９外周面の裾口近くに左，右防水布筒３７の基端部をそれぞれ連結し、左，右袖２９の防水布筒３７から突出した袖口端部に先端側に突出するジャージーなどの弾性があり拡径可能な左，右袖口筒３８を内，外２重に折り返して連結し、左，右防水布筒３７の先端部と、外上衣１の左，右袖７の先端部に設けた筒状の袖口布１３とを、これらの周方向全体にわたって、着脱可能に連結したことを特徴とする請求項１に記載の防火服の上衣。
【請求項３】
外上衣１の後身頃３に、左，右前身頃２の裾の下方に突出する垂れ布部３ａを設けると共に、外上衣１または内上衣２５の左，右肩部に肩当てをそれぞれ設けたことを特徴とする請求項１または２に記載の防火服の上衣。
【発明の詳細な説明】
【産業上の利用分野】
この発明は、消防隊員などが一般火災の消火活動時等に着用する防火服の上衣に関するものである。
【従来の技術】
従来、防火服の上衣として、左，右前身頃および後身頃を有する本体部に左，右袖を取り付けた外上衣の本体部内面に、内上衣の左，右前身頃および後身頃からなる本体部を着脱可能に保持させ、内上衣の本体部に取り付けた左，右袖を、外上衣の左，右袖内に着脱可能に嵌めたものが一般に用いられている。
そして、外上衣は、難燃性の布等の縫製品であり、内上衣は表布と裏布との間に不織布などの芯材を介在させてキルティングしたものが広く用いられている。
【発明が解決しようとする課題】
しかし、従来の防火服の上衣は、外上衣の剛性が比較的大きく、内上衣が厚いために、上衣を着用して消防隊員などが火災現場で活動する際に、腕を素早く自由に動かしにくい。
そこで、外上衣と内上衣との左，右袖を長い前袖部と、肩側、肘部、袖口側の後部との４部分にそれぞれ分け、これらを筒状に縫い付けて、着用者の肘部に余裕を持たせることなどが試みられているが、左，右袖を構成する部分の数が多くなり、これらの縫い付け作業が面倒になり、必要とする布などの面積が大きくなるという問題点があった。
この発明は、主として左，右袖およびこれらの本体部への取り付けの改良によって前述した問題点を解決し、左，右袖の縫製が比較的容易で、布などの材料の面積も比較的小さくてすみ、また着用者の肘および腕の肩からの曲げ動作が素早く、自由にできる、防火服の上衣を提供することを目的としている。
【課題を解決するための手段】
請求項１に係る発明は、左，右前身頃２および後身頃３を有する本体部５に左，右袖７を取り付けた外上衣１の本体部５内面に、内上衣２５の左，右前身頃２６および後身頃２７を有する本体部２８を着脱可能に保持させ、内上衣２５の本体部２８に取り付けた左，右袖２９を、外上衣１の左，右袖７内に着脱可能に嵌めた防火服の上衣において、外上衣１と内上衣２５との左，右袖７，２９を、長い前袖部９，３１に上，下後袖部１０，１１，３２，３３を縫い付けてそれぞれ構成し、下後袖部１１，３３の前袖部９，３１に対する肘側縫い付け部の上下方向の適所にタック１１ａ，３１ａ形成して左，右袖７，２９に肘の前曲げ余裕部１２，３４を、外上衣１と内上衣２５の左，右袖７，２９にそれぞれ対応させて設けると共に、外上衣１と内上衣２５との本体部５，２８の上部にそれぞれ形成した左，右袖ぐり５ａ，２８ａの周縁部に、外上衣１と内上衣２５との左，右袖７，２９の基端部の周方向に沿う下部の半分以上に左，右襠部８，３０を介し後側に偏してそれぞれ縫い付け、前記外上衣１の左，右袖７の基端部の周方向に沿う残りの上部は袖ぐり５ａの周縁部を形成する前身頃２の上端部および肩布４の前下部に直接縫い付け、前記内上衣２５の左，右袖２９の基端部の周方向に沿う残りの上部は袖ぐり２８ａの周縁部を形成する前身頃２６の上端部に直接縫い付けて、肩部からの腕の前後および上曲げ余裕部１４，３５を外上衣１と内上衣２５とにそれぞれ対応させて設けたことを特徴とする。
請求項２の発明は、請求項１の防火服の上衣において、内上衣１の左，右袖２９外周面の裾口近くに左，右防水布筒３７の基端部をそれぞれ連結し、左，右袖２９の防水布筒３７から突出した袖口端部に先端側に突出するジャージーなどの弾性があり拡径可能な左，右袖口筒３８を内，外２重に折り返して連結し、左，右防水布筒３７の先端部と、外上衣１の左，右袖７の先端部に設けた筒状の袖口布１３とを、これらの周方向全体にわたって、着脱可能に連結したことを特徴とする。
請求項３の発明は、請求項１または２の防火服の上衣において、外上衣１の後身頃３に、左，右前身頃２の裾の下方に突出する垂れ布部３ａを設けると共に、外上衣１または内上衣２５の左，右肩部に肩当てをそれぞれ設けたことを特徴とする。
【作用】
請求項１に係る発明は、外上衣と内上衣との左，右袖を、長い前袖部と上，下後袖部との3つの部分でそれぞれ構成したので、従来の左，右袖を長い前袖部と、肩側、肘部、袖口側の後部との４つの部分で構成したものに比べ、左，右袖の構成部分の数を外，内上衣とも従来のものより少なくでき、各袖の縫製が容易で、これらに必要な布などの材料の面積が小さくてすみ、かつ下後袖部の前袖部に対する肘側縫い付け部の上下方向の適所にタック（襞）（図４参照）に形成し、各袖に余裕部を設けたことで、着用者が肘を前曲げする動作が素早く自由にできる。
また、外上衣と内上衣との本体部にそれぞれ形成した左，右袖ぐりの周縁部に、外上衣と内上衣との左，右袖の基端部の間方向に沿う下部の半分以上を左，右襠部を介し後側に偏らせてそれぞれ縫い付け、かつ左，右袖の基端部の周方向に沿う残りの上部を、外上衣では袖ぐり５ａの周縁部を形成する前身頃２の上端部および肩布４の前下部に、また内上衣では袖ぐり２８ａの周縁部を形成する前身頃２６の上端部に直接縫い付け、肩部に余裕部を設けたことで着用者が肩部から腕を前後および上に曲げる動作が素早く、自由にできる。
請求項２の発明は、内上衣１の左，右袖２９外周面の裾口近くに左，右防水布筒３７の基端部をそれぞれ連結し、左，右袖２９の防水布筒３７から突出した袖口端部に先端側に突出するジャージーなどの弾性があり拡径可能な左，右袖口筒３８を内，外２重に折り返して連結し、左，右防水布筒３７の先端部と、外上衣１の左，右袖７の先端部に設けた筒状の袖口布１３とを、これらの周方向全体にわたって、着脱可能に連結したので、着用者が左，右腕の先端部を前記袖口筒にこれらを拡径して嵌め、消火活動を行う際に、外上衣の左，右袖に浸み込んだ水がこれらの袖口側に流下しても、前記防水布筒の外周面に沿って筒状の袖口布の先端部に流れて、これらの先端部外に流出し、外上衣の左，右袖に浸み込んだ水が内上衣の左，右袖に浸み込みにくい。また、手袋からの水の侵入も防ぐ。
請求項３の発明は、外上衣の後身頃に左，右前身頃の裾の下方に突出する垂れ布部を設けたので、着用者の腰部、または腰部と尻部とを消火活動時に保護でき、とくに酸素ボンベなどを背負って活動する場合に適する。
また、外上衣と内上衣との一方の左，右肩部にパッドなどの肩当てをそれぞれ設けたので、着用者が活動中に重量部を肩に担ぐ時などに、肩部を保護できて好ましい。
【実施例】
以下、この発明の一実施例につき図を参照して説明する。
図１，図２および図３に示すように、外上衣１は、左，右前身頃２、後身頃３および左，右肩布４を縫い付けて本体部５を構成し、本体部５の上緑部に衿６を縫い付けると共に、本体部５の上部左，右両側に袖ぐり５ａを形成し、これらの袖ぐり５ａの周縁部には、後述する左，右袖７の基端部を、周方向に沿う下部の半分以上に左，右襠部８を介し連結し、残りの部分に直接連結してある。
左，右袖７ は、長い前袖部９に上，下後袖部１０，１１を縫い付けると共に、上，下後袖部１０，１１の対向端部を連結して筒状に構成し、下後袖部１１の肘側縫い付け部の長手方向中間部に図４にも示すようにタック（襞）１１ａを形成して肘の前曲げ余裕部１２を左，右袖７に設け、左，右袖７の先端部には筒状の左，右袖口布１３を連結してある。
左，右襠部８は、図５にも示すように、前，後端部を尖らせて中央より若干前側に最大幅部を設け、これらの近くに丸味を形成した菱形に近い大型のものとし、前身頃２の上部に前端を位置させ、肩布４の後端より若干上方に後端を位置させて、袖７の基端部の周方向に沿う下部の半分以上を襠部８を介し袖ぐり５ａの周縁部を形成する前身頃２、後身頃３の上部および肩布４の後下部に後側に偏して縫い付け、袖７の基端部の周方向に沿う残りの上部を袖ぐり５ａの周縁部を形成する前身頃２の上端部および肩布４の前下部に直接縫い付けて、腕の肩からの前後および上曲げ余裕部１４を本体部５と左，右袖７との連結部にそれぞれ形成してある。
なお、左，右肩布４は、袖ぐり５ａ側の前後方向寸法および後身頃３側の左，右方向寸法が長いほぼ扇型に形成し、また左，右肩布４が衿６側から袖ぐり５ａ側に下方に向かって緩やかに傾斜するように、本体部５を構成してある。
外上衣１内面には、左，右前身頃２の正面対向緑部下端から左，右肩布４の衿６側端までの間に左，右前身返し１５を設け、後身頃３の上緑部に後身返し１６を設け、後身返し１６の左，右端部を左，右前見返し１５の上端部に連結してある。
また、左，右前身頃２の対向縁部を、上下方向に延びる前合せ用ファスナー１７によって開閉可能とし、このファスナー１７を覆う前当て布１８を左前身頃２の対向縁近くに縫い付け、前当て布１８の突出部裏面と右前身頃２の対向縁部とを前合せ用ベルベット式ファスナー１９によって重ね合せ保持している。
前記後身頃３には、左，右前身頃２下縁よりも下方に突出する腰部保護用の垂れ布部３ａを設けてある。
さらに、左，右前身頃２の下部正面には、底と後身頃３側にだけ襞を設け、かつフラップ２０ａ付きのポケット２０を設け、フラップ２０ａはポケット２０の開口を開閉可能に覆い、図示省略したベルベット式ファスナーなどによってポケット２０に保持するようにしてある。
左，右前身頃２にはポケット２０上に近接してベルト通し用のループ部２１を２つずつ設け、後身頃３にもベルト通し用のループ部２１を設け、左前身頃２の胸部にはマイクフック２２（図３参照）を設けてある。
前記衿６の対向端部の一方に、図３，図６に示すように、幅が広い衿止め２３の基端部を、衿６を立てた状態での外面に縫い付け、衿止め２３の両端部にベルベット式ファスナー片２３ａ， ２３ｂを設け、衿６を立てた状態では、衿止め２３の先端部に設けたァスナー片２３ａを衿６の対向端部の他方に設けたファスナー片２３ｃに係合させて、衿６の対向端部を連結し、着用者の衿６の正面部の開きを防ぐと共に、顔面下部および喉を保護する。  また、衿６を開いた状態では、衿止め２３の先端部のファスナー片２３ａと基端部のファスナー片２３ｂとを連結し、衿止め２３を２つ折りし、開いた衿６の内側に収納するようにしてある。なお、衿６には頭部を覆うフードを着脱可能に取り付け得るようにすることが好ましい。
前記本体部５の左，右前身頃２、後身頃３、左，右袖７の外面には、適宜の部位に反射シート２４を縫い付けてある。なお、袖７には、下後袖部１１のタック１１ａに接する位置に反射シート２４を配置し、タック１１ａを目立たないようにすることが外観上好ましい。
そして、外上衣１を構成する左，右前身頃２、後身頃３、左，右肩布４、衿６と、左，右袖７の前袖部９、上，下後袖部１０，１１、左，右袖口布１３と、左，右襠部８、左，右前見返し１５、後見返し１６、前当て布１８、ポケット２０、これらのフラップ２０ａ、ベルト返し用のループ部２１、衿止め２３などの部材は、アラミド繊維など難燃性の織布で構成してある。
外上衣１の内側に重ねる内上衣２５は、図１〜図３および図７に示すように、左，右前身頃２６と後身頃２７とを縫い付けて本体部２８を構成し、本体部２８の上部左，右両側に袖ぐり２８ａを形成し、これらの袖ぐり２８ａの周縁部には、左，右袖２９の基端部を周方向の大部分に左，右襠部３０を介し連結してある左，右袖２９は、長い前袖部３１に、上，下後袖部３２， ３３を縫い付けると共に、上，下後袖部３２， ３３の対向綾部を連結して筒状に構成し、下後袖部３３の肘側縫い付け部の長手方向中間部にタック(襞)３３ａを形成して、肘の前曲げ余裕部３４を左，右袖２９に設けてある。
左，右襠部３０ は、前身頃２６の上端部に前端を位置させ、後身頃２７の上端近くに後端を位置させ、袖２９の基端部の周方向に沿う半分以上を襠部３０を介し後側に偏して袖ぐり２８ａの前身頃２６、後身頃２７の上部に縫い付け、袖２９の基端部の周方向に沿う残った部分を袖ぐり２８ａ部を形成する前身頃２６および後身頃２７の上端部に直接縫い付けて、腕の肩からの前後および上曲げ余裕部３５を本体部２８と左，右袖２９との連結部にそれぞれ形成してある。
内上衣２５の本体部２８と外上衣１の本体部５とを内，外に重ねると共に、上衣２５の左，右袖２９を外上衣１の左，右袖７内にそれぞれ嵌め、内上衣２５を外上衣１に対し着脱可能にしてある。
すなわち、内上衣２５の左，右前身頃２６の下端部より対向側縁部および後身頃２７の上縁部と、外上衣１の左，右前見返し１５の下端部より上の対向側側部および後見返し１６の下縁部とを、一連の装着用ファスナー３６によって内上衣２５の本体部２８を外上衣１の本体部に着脱可能に装着してある。
また、図８に示すように、内上衣２５の左，右袖２９外周面の裾口近くに左，右防水布筒３７の基端部をそれぞれ連結し、左，右袖２９の防水布筒３７から突出した袖口端部に先端側に突出するジャージーなどの弾性があり拡径可能な左，右袖口筒３８を内，外２重に折り返して連結し、左，右防水布筒３７の先端部と、外上衣１の左，右袖７の先端部に設けた筒状の袖口布１３とを、これらの周方向全体にわたって、袖口用ベルベット式ファスナー３９によって着脱可能に連結してある。
左，右防水布筒３７と筒状の袖口布１３との連結は、防水布筒３７の先端部を外周側に折り返した部分の外周面に前記ベルベット式ファスナー３９の雌，雄部材の一方３９ａを固着し、筒状の袖口布１３の先端側を円周基部側に折り返し、折り返し端から円周先端側に折り返しさらに円周基端側に折り返して、２重外筒１３ａ内に２重内筒１３ｂを形成し、２重内筒１３ｂの内周面に前記ファスナー３９の雌，雄部材の他方３９ｂを固着し、雌，雄部材の一方３９ａと他方３９ｂとを連結し、これらの連結部および前記袖口筒３８が筒状の袖口布１３の２重外筒１３ａの先端より、外上衣１の袖７の基端側よりに収容してある。
そして、内上衣２５を構成する左，右前身頃２６、後身頃２７と、左，右袖２９の前袖部３１、上，下後袖部３２，３３と、左，右襠部３０とは、表，裏布２５ｂ，２５ｃ間に不織布、網状体などの芯材２５ｄを介在させてキルティングしたものとし、図示省略したが、左，右前身頃２６と後身頃２７との上部の両側に跨がる左，右肩部には、不織布パッドなどの肩当てを表，裏布間に芯材と共に介在させてある。なお、内上衣２５の周縁部の少なくともファスナー３６装着部以外の部分には布製の縁保護テープ４０を横断面コ字状に縫い付けてある。
また、この実施例に係る防火服の上衣は、外上衣１の本体部５と内上衣２５の本体部２８とを、これらの左，右前身頃、後身頃、左，右襠部がそれぞれ対応するように配置し、外上衣１の左，右袖部７と内上衣２５の左，右袖部２９とを、これらの前袖部、上，下後袖部が対応するように配置してある。
なお、外上衣１の本体部５および左，右袖７と、内上衣２５の本体部２８と袖２９とは、ほぼ相似で、外上衣１よりも内上衣２を若干小さくしてある。
以上のように構成した実施例の防火服の上衣は、外上衣１の本体部５の内面に内上衣２５の本体部２８を着脱可能に保持させ、この本体部２８に装着した左，右袖２９を外上衣１の左，右袖７に嵌めて、これらに設けた筒状の袖口布１３と、内上衣２５の左，右袖２９の先端部に設けた袖口筒３８とを、全周にわたって袖口用ベルベット式ファスナー３９ によって着脱可能に保持し、外上衣１の前合せ用のファスナー１７およびベルベット式ファスナー１９を開放した状態にしておき、火災の発生時などの出動時に、使用者が上衣を着用して前合せ用のファスナー１７およびベルベット式ファスナー１９を閉じ、この状態で消火活動などを行う。
活動を終わった後には、上衣を脱ぎ、装着用ファスナー３６を開き、袖口用ベルベット式ファスナー３９の係合を解いて、外上衣１から内上衣２５を外し、これらが濡れている場合には乾燥させ、汚れている場合には洗った後に乾燥させ、その後外上衣１に内上衣２５を取り付けておく。
そして、この実施例による防火服の上衣は、外，内上衣１， ２５の左，右袖７， ２９が、長い前袖部９，３１と上後袖部１０， ３２と下後部１１， ３３との各３部分で構成したので、前述した従来の上衣の左，右袖を各４部分で構成したものに比べ、左，右袖７，２９の構成部分の数が少なく、これらの縫製が容易であり、また必要な布や芯材などの材料の面積が小さくてすみ、下後袖部１１，３３の前袖部９，３１に対する肘側すなわち本体部５，２８側縫い付け部の上下方向中間部などの適所にタック（襞）１１ａ， ３３ａを形成し、各袖７， ２９ に余裕部１２，３４を設けたことで、着用者が肘を前曲げする動作が素早く自由にできる。
また、外，内上衣１，２５の本体部５，２８の上部にそれぞれ形成した左，右袖ぐり５ａ， ２８ａの周縁部に、外，内上衣１， ２５の左，右袖７， ２９の基端部の周方向に沿う下部の半分以上を左，右襠部８，３０を介し後側に偏らせてそれぞれ縫い付け、かつ左，右袖７， ２９の基端部の周方向に沿う残りの上部を外上衣１では袖ぐり５ａの周縁部を形成する前身頃２の上端部および肩布４の前下部に直接縫い付け、また内上衣２５では袖ぐり２８ａの周縁部を形成する前身頃２６の上端部に直接縫い付けて、肩部に余裕部１４，３５を設けたことで、着用者が肩部から腕を前後および上に曲げる動作が素早く自由にできる。
なお、左，右襠部８， ３０ は、左，右袖ぐり５ａ，２８ａの周方向に長く幅方向が周方向より短く、前下部に若干偏らせた最大幅部に円弧部がある菱形に近い形状の大型のものにすることが好ましい。
さらに、外上衣１の左，右袖７の先端部に設けた筒状の袖口布１３の内周面に、内上衣２５の左，右袖２９の袖口近くの外周面に基端部を固着した防水布筒３７の先端部を袖口用ベルベット式ファスナー３９ によって着脱可能に保持させ、内上衣２５の左，右袖２９の袖口部に先端側に突出するジャージーを内，外２重に折り返した拡径可能な袖口筒３８をそれぞれ連結したので、着用者が左，右腕の先端部を左，右袖口筒３８にこれらを拡径して嵌め、消火活動を行う際に、外上衣２５の左，右袖７に浸み込んだ水が、これらの袖口側に流下しても、防水布筒３７の外周面に沿って筒状の袖口布１３の先端部に流れ、これらの先端部外に流出し、外上衣１の左，右袖間に浸み込んだ水が内上衣２５の左，右袖２９に浸み込みにくい。
なお、外上衣１の左，右袖７に設けた筒状の袖口布１３は、図８に示すように、内周基端側に折り返して２重外筒１３ａを形成し、これから内周先端側に折り返して２重内筒１３ｂを形成し、これの内周面と、内上衣２５の左，右袖２９に設けた袖口筒３８とを、袖口用ベルベット式ファスナー３９によって着脱可能に連結すると、外上衣１の左，右袖７に設けた筒状の袖口布１３が多重になって破損しにくい上に、袖口布１３が袖７の長手方向に余裕ができ、内上衣２５の左，右袖２９に設けた袖口筒３８に着用者の手に嵌めた手袋の末端部が重なった場合にも、手首部の動作がしやすい。
さらにまた、外上衣１の後身頃３に、左，右前身頃２の裾の下方に突出する垂れ布部３ａを設けたので、着用者の腰部、または腰部と尻部とを消火活動時に保護でき、とくに酸素ボンベなどを背負って活動する場合に適する。
そして、内上衣２５の左，右肩部にパッドなどの肩当て（図示省略）をそれぞれ設けたので．着用者が活動中に重量物を肩に担ぐ場合などに、肩部を保護できて好ましい。
この発明において、前記肩当ては、内上衣の左，右肩部に限られることなく、外上衣の前記肩布などの左，右肩部にそれぞれ設けてもよい。
また、前記実施例では、外上衣の左，右前身頃と後身頃との上部を左，右肩布を介して連結したが、この発明では、内上衣の左，右前身頃と後身頃との上部をこれらと同材料の左，右肩布を介して連結したり、外上衣の左，右前身頃と後身頃との肩部を直接縫い付けたりするなど、外，内上衣の本体部の構成は、適宜変更できる。
さらに、外上衣の後身頃に突出させた垂れ布部は、上方に折り返してベルベット式ファスナーなどよって後身頃の下部に着脱可能に保持して、左，右前身頃の裾と後身頃の下縁とが水平できるようにしてもよい。
そして、内上衣を構成する左，右前身頃、後身頃、左，右袖の各部は、表，裏布間の芯材を網状体にすると、内上衣を軽量にできて好ましい。
【発明の効果】
以上説明したように、請求項１に係る発明は、外上衣と内上衣との左，右袖を、長い前袖部と上，下後袖部との３つの部分でそれぞれ構成したので、従来の左，右袖を長い前袖部と、肩側、肘部、袖口側の後部との４つの部分で構成したものに比べ、左，右袖の構成部分の数を外，内上衣とも従来のものより少なくでき、各袖の縫製が容易で、これらに必要な布などの材料の面積が小さくてすみ、かつ下後袖部の前袖部に対する肘側縫い付け部の上下方向の適所にタック(襞)（図４参照）に形成し、各袖に余裕部を設けたことで、着用者が肘を前曲げする動作が素早く自由にできる。
また、外上衣と内上衣との本体部にそれぞれ形成した左，右袖ぐりの周縁部に、外上衣と内上衣との左，右袖の基端部の周方向に沿う下部の半分以上を左，右襠部を介し後側に偏らせてそれぞれ縫い付け、かつ左，右袖の基端部の周方向に沿う残りの上部を、外上衣では袖ぐり５ａの周縁部を形成する前身頃２の上端部および肩布４の前下部に、また内上衣では袖ぐり２８ａの周縁部を形成する前身頃２６の上端部に直接縫い付け、肩部に余裕部を設けたことで着用者が肩部から腕を前後および上に曲げる動作が素早く、自由にできる。
請求項２の発明は、内上衣１の左，右袖２９外周面の裾口近くに左，右防水布筒３７の基端部をそれぞれ連結し、左，右袖２９の防水布筒３７から突出した袖口端部に先端側に突出するジャージーなどの弾性があり拡径可能な左，右袖口筒３８を内，外２重に折り返して連結し、左，右防水布筒３７の先端部と、外上衣１の左，右袖７の先端部に設けた筒状の袖口布１３とを、これらの周方向全体にわたって、着脱可能に連結したので、着用者が左，右腕の先端部を前記袖口筒にこれらを拡径して嵌め、消火活動を行う際に、外上衣の左，右袖に浸み込んだ水がこれらの袖口側に流下しても、前記防水布筒の外周面に沿って筒状の袖口布の先端部に流れて、これらの先端部外に流出し、外上衣の左，右袖に浸み込んだ水が内上衣の左，右袖に浸み込みにくい。また、手袋からの水の侵入も防ぐ。
請求項３の発明は、外上衣の後身頃に左，右前身頃の裾の下方に突出する垂れ布部を設けたので、着用者の腰部、または腰部と尻部とを消火活動時に保護でき、とくに酸素ボンベなどを背負って活動する場合に適する。
また、外上衣と内上衣との一方の左，右肩部にパッドなどの肩当てをそれぞれ設けたので、着用者が活動中に重量部を肩に担ぐ時などに、肩部を保護できて好ましい。
【図面の簡単な説明】
【図１】  この発明の一実施例に係る防火服の上衣を示した一部切り欠き正面説明図。
【図２】  図１示した防火服の上衣の一部切り欠き背面図。
【図３】  図１に示した防火服の上衣の要部の説明図。
【図４】  図１に示した防火服の上衣の袖部に形成したタックの説明図。
【図５】  図１に示した防火服の外上衣の本体部と袖部との間に介在させる襠部の説明図。
【図６】  図１に示した外上衣の衿止めの説明図。
【図７】  図１に示した内上衣の一部切り欠き正面説明図。
【図８】  図１に示した上衣の袖部の部分縦断面図。
【符号の説明】
１    外上衣
２    前身頃
３    後身頃
３ａ  垂れ布部
４    肩布
５    本体部
５ａ  袖ぐり
６    衿
７    袖
８    襠部
９    前袖部
１０    上後袖部
１１    下後袖部
１１ａ  タツク
１２    余裕部
１３    袖口布
１４    余裕部
１５    前見返し
１６    後見返し
１７    前合せ用ファスナー
１８    前当て布
１９    前合せ用ベルベット式ファスナー
２１    ループ部
２３    衿止め
２４    反射シート
２５    内上衣
２６    前身頃
２７    後身頃
２８    本体部
２８ａ  袖ぐり
２８ｂ  表布
２８ｃ  裏布
２８ｄ  芯材
２９    袖
３０    襠部
３１    前袖部
３２    上後袖部
３３    下後袖部
３３ａ  タツク
３４    余裕部
３５    余裕部
３６    装着用ファスナー
３７    防水布筒
３８    袖口筒
３９    袖口用ベルベット式ファスナー
【図１】
0003649351.tif 000002
【図２】
0003649351.tif 000003
【図３】
0003649351.tif 000004
【図４】
0003649351.tif 000005
【図５】
0003649351.tif 000006
【図６】
0003649351.tif 000007
【図７】
0003649351.tif 000008
【図８】
0003649351.tif 000009